(57)【要約】【課題】貼付対象物に貼付された後に、副表示部分を他の貼付対象物に適切に貼付することができるラベルおよびこのラベルが貼付されたラベル貼付物を提供する。【解決手段】ラベル基材および粘着性層よりなるラベル本体と、粘着性層に対して剥離性を有する表面にラベル本体を剥離可能に支持する剥離性シートとを備え、ラベル本体は、主表示部分と、主表示部分から分離可能で他の貼付対象物に貼付される副表示部分とを有し、剥離性シートは、主表示部分支持用シートと、主表示部分支持用シートから分離可能な副表示部分支持用シートとよりなり、副表示部分支持用シートの裏面には、副表示部分を貼付するための案内となる画像情報が形成され、副表示部分支持用シートは、表面側から見たときに画像情報が視認され得る。【選択図】図１
2018205556.tif 000002
【特許請求の範囲】
【請求項１】
表面に貼付対象物に関する情報が表示されたラベル基材およびこのラベル基材の裏面に形成された粘着性層よりなるラベル本体と、
表面が前記粘着性層に対して剥離性を有し、当該表面に前記ラベル本体を剥離可能に支持する剥離性シートとを備えてなり、
前記ラベル本体は、前記貼付対象物に貼付される主表示部分と、ラベル側切り込みにより囲まれて前記主表示部分から分離可能に設けられた、他の貼付対象物に貼付される副表示部分とを有してなり、
前記剥離性シートは、前記主表示部分を支持する主表示部分支持用シートと、シート側切り込みによって囲まれて前記主表示部分支持用シートから分離可能に設けられた、前記副表示部分を支持する副表示部分支持用シートとよりなり、
前記副表示部分支持用シートの裏面には、前記他の貼付対象物に当該副表示部分を貼付するための案内となる図形および／または文字からなる画像情報が形成されており、
前記副表示部分支持用シートは、その表面側から見たときに前記画像情報が視認され得るものであることを特徴とするラベル。
【請求項２】
前記貼付対象物が、前記他の貼付対象物を収納するケースであることを特徴とする請求項１に記載のラベル。
【請求項３】
検体容器を収納する検体容器収納ケースに貼付される検体容器収納ケース用のラベルであって、
表面に検体管理情報が表示されたラベル基材およびこのラベル基材の裏面に形成された粘着性層よりなるラベル本体と、
表面が前記粘着性層に対して剥離性を有し、当該表面に前記ラベル本体を剥離可能に支持する剥離性シートとを備えてなり、
前記ラベル本体は、前記検体容器収納ケースに貼付される収納ケース貼付部分と、切り込みにより囲まれて前記収納ケース貼付部分から分離可能に設けられた、前記検体容器に貼付される検体容器貼付部分とを有してなり、
前記剥離性シートは、前記収納ケース貼付部分を支持するケース貼付部分支持用シートと、シート側切り込みによって囲まれて前記ケース貼付部分支持用シートから分離可能に設けられた、前記検体容器貼付部分を支持する容器貼付部分支持用シートとよりなり、
前記容器貼付部分支持用シートの裏面には、前記検体容器に当該検体容器貼付部分を貼付するための案内となる図形および／または文字からなる画像情報が形成されており、
前記容器貼付部分支持用シートは、その表面側から見たときに前記画像情報が視認され得るものであることを特徴とするラベル。
【請求項４】
前記検体管理情報は、被検者の氏名および／または被検者に個別に付与された識別コードを含むことを特徴とする請求項３に記載のラベル。
【請求項５】
前記検体管理情報は、前記収納ケース貼付部分および前記検体容器貼付部分の各々に表示されていることを特徴とする請求項３または請求項４に記載のラベル。
【請求項６】
前記画像情報がイラストレーションよりなるものであることを特徴とする請求項３乃至請求項５のいずれかに記載のラベル。
【請求項７】
請求項１または請求項２に記載のラベル本体が貼付対象物に貼付されてなり、
前記ラベル本体における粘着性層と前記貼付対象物との間の一部の領域には、前記副表示部分を剥離可能に支持する副表示部分支持用シートが、前記副表示部分およびその周辺部分を覆うよう設けられており、
前記副表示部分支持用シートの裏面には、他の貼付対象物に前記副表示部分を貼付するための案内となる図形および／または文字からなる画像情報が形成されており、
前記副表示部分支持用シートは、その表面側から見たときに前記画像情報が視認され得るものであることを特徴とするラベル貼付物。
【請求項８】
請求項３乃至請求項６のいずれかに記載のラベル本体が、検体容器を収納するケース本体に貼付されてなり、
前記ラベル本体における粘着性層上の一部の領域には、前記検体容器貼付部分を剥離可能に支持する容器貼付部分支持用シートが、前記検体容器貼付部分およびその周辺部分を覆うよう設けられており、
前記容器貼付部分支持用シートの裏面には、前記検体容器に当該検体容器貼付部分を貼付するための案内となる図形および／または文字からなる画像情報が形成されており、
前記容器貼付部分支持用シートは、その表面側から見たときに前記画像情報が視認され得るものであることを特徴とする検体容器収納ケース。
【請求項９】
検体容器と、この検体容器を収納する、請求項８に記載の検体容器収納ケースとを備えてなることを特徴とする検体採取用キット。
【発明の詳細な説明】
【技術分野】
【０００１】
本発明は、ラベルおよびこのラベルが貼付されたラベル貼付物、並びに検便などの生化学的検査または微生物学的検査などにおいて、検体を一時的に保存する検体容器を収納するラベル付きの検体容器収納ケースおよびこの検体容器収納ケースを備えた検体採取用キットに関する。
【背景技術】
【０００２】
従来、検便などの生化学的検査または微生物学的検査などは、例えば以下のようにして行われている。
先ず、内部に液状またはゲル状の保存剤を有する密閉可能な検体容器と、この検体容器を収納する収納袋とからなる検体採取用キットが、検査機関から被検者に配送される。次いで、被検者によって検体が採取された後、この検体は、検体容器内において保存剤中に浸漬または埋没された状態で一時的に保存される。検体が保存された検体容器は、密閉された状態で収納袋に収納された後、検査機関へ配送される。そして、検査機関において、検体が収容された検体容器が開封され、この検体容器内の検体に対して所定の検査が行われる。
【０００３】
このような検体を一時的に保存するための検体容器の表面には、検体を識別するために、例えば被検者の氏名、性別などの検体管理情報が表示されたラベルが貼付されている。  また、検体容器を収納する収納袋の表面にも、検体を識別するために、検体管理情報が表示されたラベルが貼付されている。
然るに、検査機関においては、被検者に検体容器を配送する前に、検体容器および収納袋の両方に、貼付すべきラベルを確認しながら、当該ラベルを手作業によって貼付しなければならず、このようなラベルの貼付作業は極めて煩雑であり、検査コストが高くなる、という問題がある。
【０００４】
このような問題を解決するため、収納袋に貼付される主表示部分と、切り込みにより囲まれて主表示部分から分離可能に設けられた、検体容器に貼付される副表示部分とを備えた検体容器収納袋用ラベルが提案されている（特許文献１参照。）。
このようなラベルによれば、被検者が、収納袋に貼付されたラベルから副表示部分を剥がして検体容器に貼付することが可能である。そのため、検査機関においては、収納袋のみにラベルを貼付すればよく、検査コストの低減化を図ることができる。
【０００５】
而して、上記のラベルが貼付された収納袋においては、被検者がラベルにおける副表示部分を適切に検体容器に貼付することができるよう、例えば収納袋におけるラベルが貼付された箇所以外の箇所に、副表示部分を貼付するための案内が表示されている。
しかしながら、被検者が収納体に表示された案内を見落とすことにより、検体容器に副表示部分が適切に貼付されないことがある。
また、検体容器を収納する収納袋の代わりに、例えば小型の収納ケースを用いる場合には、当該収納ケースの表面に、副表示部分を貼付するための案内を表示する領域を確保することが困難となることもあり、この場合には、収納ケースとは別に、案内を表示した紙片等を用意することが必要となる。
【先行技術文献】
【特許文献】
【０００６】
【特許文献１】実用新案登録第３１２７９４４号公報
【発明の概要】
【発明が解決しようとする課題】
【０００７】
本発明は、以上のような事情に基づいてなされたものであって、その目的は、一の貼付対象物に貼付される主表示部分と他の貼付対象物に貼付される副表示部分とを有するラベルにおいて、一の貼付対象物に貼付された後に、副表示部分を他の貼付対象物に適切に貼付することができるラベルおよびこのラベルが貼付されたラベル貼付物を提供することにある。
本発明の他の目的は、検体容器収納ケースに貼付される収納ケース貼付部分と、検体容器に貼付される検体容器貼付部分とを有するラベルにおいて、検体容器収納ケースに貼付された後に、検体容器貼付部分を検体容器に適切に貼付することができるラベル、このラベルが貼付された検体容器収納ケース、およびこの検体容器収納ケースを有する検体採取用キットを提供することにある。
【課題を解決するための手段】
【０００８】
本発明のラベルは、表面に貼付対象物に関する情報が表示されたラベル基材およびこのラベル基材の裏面に形成された粘着性層よりなるラベル本体と、
表面が前記粘着性層に対して剥離性を有し、当該表面に前記ラベル本体を剥離可能に支持する剥離性シートとを備えてなり、
前記ラベル本体は、前記貼付対象物に貼付される主表示部分と、ラベル側切り込みにより囲まれて前記主表示部分から分離可能に設けられた、他の貼付対象物に貼付される副表示部分とを有してなり、
前記剥離性シートは、前記主表示部分を支持する主表示部分支持用シートと、シート側切り込みによって囲まれて前記主表示部分支持用シートから分離可能に設けられた、前記副表示部分を支持する副表示部分支持用シートとよりなり、
前記副表示部分支持用シートの裏面には、前記他の貼付対象物に当該副表示部分を貼付するための案内となる図形および／または文字からなる画像情報が形成されており、
前記副表示部分支持用シートは、その表面側から見たときに前記画像情報が視認され得るものであることを特徴とする。
【０００９】
上記のラベルにおいては、前記貼付対象物が、前記他の貼付対象物を収納するケースであることが好ましい。
【００１０】
また、本発明のラベルは、検体容器を収納する検体容器収納ケースに貼付される検体容器収納ケース用のラベルであって、
表面に検体管理情報が表示されたラベル基材およびこのラベル基材の裏面に形成された粘着性層よりなるラベル本体と、
表面が前記粘着性層に対して剥離性を有し、当該表面に前記ラベル本体を剥離可能に支持する剥離性シートとを備えてなり、
前記ラベル本体は、前記検体容器収納ケースに貼付される収納ケース貼付部分と、切り込みにより囲まれて前記収納ケース貼付部分から分離可能に設けられた、前記検体容器に貼付される検体容器貼付部分とを有してなり、
前記剥離性シートは、前記収納ケース貼付部分を支持するケース貼付部分支持用シートと、シート側切り込みによって囲まれて前記ケース貼付部分支持用シートから分離可能に設けられた、前記検体容器貼付部分を支持する容器貼付部分支持用シートとよりなり、
前記容器貼付部分支持用シートの裏面には、前記検体容器に当該検体容器貼付部分を貼付するための案内となる図形および／または文字からなる画像情報が形成されており、
前記容器貼付部分支持用シートは、その表面側から見たときに前記画像情報が視認され得るものであることを特徴とする。
【００１１】
このようなラベルにおいては、前記検体管理情報は、被検者の氏名および／または被検者に個別に付与された識別コードを含むことが好ましい。
また、前記検体管理情報は、前記収納ケース貼付部分および前記検体容器貼付部分の各々に表示されていることが好ましい。
また、前記画像情報がイラストレーションよりなるものであることが好ましい。
【００１２】
本発明のラベル貼付物は、上記のラベル本体が貼付対象物に貼付されてなり、
前記ラベル本体における粘着性層と前記貼付対象物との間の一部の領域には、前記副表示部分を剥離可能に支持する副表示部分支持用シートが、前記副表示部分およびその周辺部分を覆うよう設けられており、
前記副表示部分支持用シートの裏面には、他の貼付対象物に前記副表示部分を貼付するための案内となる図形および／または文字からなる画像情報が形成されており、
前記副表示部分支持用シートは、その表面側から見たときに前記画像情報が視認され得るものであることを特徴とする。
【００１３】
本発明の検体容器収納ケースは、上記の検体容器収納ケース用のラベル本体が、検体容器を収納するケース本体に貼付されてなり、
前記ラベル本体における粘着性層上の一部の領域には、前記検体容器貼付部分を剥離可能に支持する容器貼付部分支持用シートが、前記検体容器貼付部分およびその周辺部分を覆うよう設けられており、
前記容器貼付部分支持用シートの裏面には、前記検体容器に当該検体容器貼付部分を貼付するための案内となる図形および／または文字からなる画像情報が形成されており、
前記容器貼付部分支持用シートは、その表面側から見たときに前記画像情報が視認され得るものであることを特徴とする。
【００１４】
本発明の検体採取用キットは、検体容器と、この検体容器を収納する、上記の検体容器収納ケースとを備えてなることを特徴とする。
【発明の効果】
【００１５】
本発明のラベルにおいては、剥離性シートは、主表示部分支持用シートから分離可能に設けられた副表示部分支持用シートを有するため、剥離性シートからラベル本体を剥がすときには、副表示部分支持用シートが、主表示部分支持用シートから分離してラベル本体に密着したままの状態に維持され、この状態で、貼付対象物に貼付される。そして、貼付対象物に貼付されたラベル本体から副表示部分を剥離すると、副表示部分支持用シートの裏面に形成された、副表示部分を貼付するための案内となる画像情報が、当該副表示部分支持用シートを介して視認される。従って、本発明のラベルによれば、副表示部分を貼付するための案内となる画像情報に基づいて、他の貼付対象物に副表示部分を適切に貼付することができる。
【図面の簡単な説明】
【００１６】
【図１】本発明のラベルの一例における表面を示す説明図である。
【図２】図１に示すラベルの裏面を示す説明図である。
【図３】図１に示すラベルをＸ−Ｘ線に沿って切断して示す説明用断面図である。
【図４】図１乃至図３に示すラベルについて、ラベル本体を剥離性シートから引き剥がす途中の状態を示す説明図である。
【図５】本発明の検体採取用キットの一例における構成の概略を示す斜視図である。
【図６】本発明の検体容器収納ケースの一例における構成の概略を示す斜視図である。
【図７】図６に示す検体容器収納ケースにおけるケース本体を、一方のケース部材を他方のケース部材から開いた状態で示す斜視図である。
【発明を実施するための形態】
【００１７】
本発明のラベルは、シート状のラベル基材および粘着剤層よりなるラベル本体と、このラベル本体を剥離可能に支持する剥離性シートとを備え、ラベル本体が、一の貼付対象物に貼付される主表示部分と、切り込みにより囲まれて主表示部分から分離可能に設けられた、他の貼付対象物に貼付される副表示部分とを有してなるものである。
以下、本発明の実施の形態について、一の貼付対象物が、検便などの生化学的検査または微生物学的検査などにおいて、検体を一時的に保存する検体容器を収納する検体容器収納ケースであり、他の貼付対象物が検体容器である場合を例に挙げて詳細に説明する。
【００１８】
［ラベル］
図１は、本発明のラベルの一例における表面を示す説明図である。図２は、図１に示すラベルの裏面を示す説明図である。図３は、図１に示すラベルをＸ−Ｘ線に沿って切断して示す説明用断面図である。
このラベル１０は、例えば検便などの生化学的検査または微生物学的検査などにおいて、検体を一時的に保存する検体容器を収納する検体容器収納ケースに貼付されるものである。
【００１９】
図１および図２に示すラベル１０は、表面に検体管理情報Ｐ１が表示されたラベル基材１２と、このラベル基材１２の裏面に形成された粘着性層１３とよりなるラベル本体１１を有する。このラベル本体１１は、剥離性シート２０の表面に剥離可能に支持されている。具体的には、剥離性シート２０の表面は粘着剤層１３に対して剥離性を有し、ラベル本体１１が、剥離性シート２０の表面に粘着性層１３が密着した状態で積重されることによって、当該剥離性シート２０の表面に剥離可能に支持されている。
【００２０】
ラベル本体１１は、検体容器収納ケースに貼付される収納ケース貼付部分（主表示部分）１５と、検体容器に貼付される検体容器貼付部分（副表示部分）１６とを有する。検体容器貼付部分１６は、矩形の枠状のラベル側切り込みＣ１によって囲まれており、これにより、収納ケース貼付部分１５から分離可能に設けられている。
【００２１】
剥離性シート２０には、検体容器貼付部分１６に対応する部分およびその周辺部分を取り囲むよう矩形の枠状のシート側切り込みＣ２が形成されている。これにより、剥離性シート２０は、収納ケース貼付部分１５を剥離可能に支持するケース貼付部分支持用シート（主表示部分支持用シート）２１と、ラベル側切り込みＣ１によって囲まれた、検体容器貼付部分１６を剥離可能に支持する容器貼付部分支持用シート（副表示部分支持用シート）２２とにより構成され、かつ、ケース貼付部分支持用シート２１から容器貼付部分支持用シート２２が分離可能なものとされている。
【００２２】
剥離性シート２０においては、検体容器貼付部分１６に対応する部分の裏面に、検体容器に当該検体容器貼付部分１６を貼付するための案内となる画像情報Ｐ２が形成されている。また、容器貼付部分支持用シート２２を含む剥離性シート２０は、その表面側から見たときに、裏面に形成された画像情報Ｐ２が視認され得るものとされる。
【００２３】
ラベル本体１１において、ラベル基材１２を構成する材料としては、例えば、紙基材、合成樹脂フィルム、これらの積層材や複合材、紙基材や合成樹脂フィルムを基体とした感熱紙などを用いることができる。
また、粘着性層１３を形成するための粘着剤としては、エマルジョン系、ゴム系、アクリル系などの粘着剤を用いることができる。
剥離性シート２０は、表面は粘着剤層１３に対して剥離性を有し、かつ、表面側から見たときに、裏面に形成された画像情報Ｐ２が視認され得るものであればよい。剥離性シート２０の具体例としては、粘着性層１３に接する表面にシリコーンがコーティングされた紙基材よりなるものなどが挙げられる。
【００２４】
検体管理情報Ｐ１は、検体に係る被検者を識別するための情報を表示するものである。このような検体管理情報Ｐ１としては、被検者の氏名および被検者に個別に付与された識別コードのいずれか一方または両方を含むものであることが好ましい。また、検体管理情報Ｐ１は、被検者の年齢および性別のいずれか一方または両方を含むものであってもよい。検体管理情報Ｐ１として表示し得る他の情報としては、被検者が勤務する会社名および部署等の被検者に関する情報や、検査項目に関する情報などを例示することができる。
また、ラベル基材１２の表面には、検体の採取日を記入するための採取日記入欄が記載されていてもよい。
【００２５】
また、検体管理情報Ｐ１は、ラベル本体１１における収納ケース貼付部分１５および検体容器貼付部分１６の各々に表示されていることが好ましい。収納ケース貼付部分１５および検体容器貼付部分１６の各々に表示された検体管理情報Ｐ１は、互いに同一の内容であっても、一方（例えば収納ケース貼付部分１５）に表示された検体管理情報Ｐ１の一部のみが他方（例えば検体容器貼付部分１６）に表示されていてもよい。図示の例では、収納ケース貼付部分１５には、検体管理情報Ｐ１として、被検者の氏名、識別コード、年齢および性別が表示され、更に採取日記入欄が記載されている。一方、検体容器貼付部分１６には、検体管理情報Ｐ１として、被検者の氏名、年齢および性別が表示されている。
【００２６】
画像情報Ｐ２は、検体容器に検体容器貼付部分１６を貼付するための案内となる図形、文字またはこれらの組み合わせによって構成されている。図示の例では、画像情報Ｐ２は、検体容器における検体容器貼付部分１６を貼付すべき位置を指示または示唆するイラストレーションによって構成されている。
【００２７】
上記のラベル１０においては、先ず、当該ラベル１０におけるラベル本体１１の一端部を摘まみ、ラベル本体１１を剥離性シート２０から引き剥がす。剥離性シート２０の表面は、ラベル本体１１における粘着性層１３に対して剥離性を有するため、当該ラベル本体１１を剥離性シート２０から容易に剥離する。このとき、剥離性シート２０には、シート側取り込みＣ２が形成されているため、図４に示すように、シート側取り込みＣ２に囲まれた容器貼付部分支持用シート２２は、検体容器貼付部分１６から剥離せず、ラベル本体１１における粘着性層１３に密着した状態で当該ラベル本体１１に追随することにより、ケース貼付部分支持用シート２１から分離する。
そして、容器貼付部分支持用シート２２が密着したラベル本体１１は、貼付対象体である検体容器収納ケースに貼付される。
【００２８】
［検体容器収納ケースおよび検体採取用キット］
図５は、本発明の検体採取用キットの一例における構成の概略を示す斜視図である。図６は、本発明の検体容器収納ケースの一例における構成の概略を示す斜視図である。図７は、図６に示す検体容器収納ケースにおけるケース本体を、一方のケース部材を他方のケース部材から開いた状態で示す斜視図である。
図５に示す検体採取用キットは、図６に示す検体容器収納ケース３０と、この検体容器収納ケース３０内に収納された検査容器６５とにより構成されている。検体容器収納ケース３０は、ケース本体３５と、このケース本体３５に貼付されたラベル本体１１とを備えてなる。
【００２９】
検体容器６５は、外形形状が管軸方向における一端部と他端部とで互いに異なるものであって、一端が開口すると共に他端が例えば半球面状に閉塞された有底円筒状の容器本体６６と、容器本体６６の開口部に着脱可能に装着された有底円筒状のキャップ６７とにより構成されている。
【００３０】
この例のケース本体３５は、いわゆるクラムシェル型のブリスターパックにより構成されている。具体的に説明すると、ケース本体３５は、検体容器６５を受容する一方のケース部材４０と、一方のケース部材４０の蓋材として機能する他方のケース部材５０とが折り曲げ部６０を介して一体に連結されて構成されている。このケース本体３５においては、一方のケース部材４０と他方のケース部材５０とが嵌合によって互いに固定されることにより、内部に検体容器６５が収納される収納空間が形成される。
【００３１】
ケース本体３５において、一方のケース部材４０は、検体容器６５を受容して保持する容器受容用凹部４１と、容器受容用凹部４１の開口端縁の全周にわたって外方に延出するフランジ部４７とを有する。容器受容用凹部４１は、板状空間を形成する第一凹部４２と、この第一凹部４２の底面側に段部４３を介して連続する第二凹部４４とを有する。
【００３２】
第一凹部４２の内面には、受容される検体容器６５の管軸方向（以下、「長さ方向」という。）に延びる係合用凹溝４５が形成されている。具体的には、係合用凹溝４５は、第一凹部４２を画成する互いに対向して長さ方向に延びる一対の周壁の内面の各々に、例えば開口面に対して平行に長さ方向に延びるよう形成されている。
【００３３】
第二凹部４４は、検体容器６５の一端部および他端部の少なくとも一方の端部の外形形状に適合する空間形状を有する。この例においては、第二凹部４４は、長さ方向における一端側部分が検体容器６５のキャップ６７の外形形状に適合する空間形状を有すると共に、他端側部分が検体容器６５の容器本体６６の外形形状に適合する空間形状を有する。
【００３４】
また、第二凹部４４を画成する互いに対向して長さ方向に延びる一対の周壁の内面の各々には、検体容器６５を嵌合状態で保持するための突起部が形成されている。この例においては、第二凹部４４の開閉端側の周壁に、一対の嵌合用突起部４６ａが互いに対向して形成されている。この一対の嵌合用突起部４６ａによって、検体容器６５におけるキャップ６７が狭持されて嵌合状態で保持される。また、第二凹部４４の折り曲げ部６０側の周壁には、一対の嵌合用突起部４６ｂが互いに対向して形成されている。この一対の嵌合用突起部４６ｂによって、検体容器６５における容器本体６６が狭持されて嵌合状態で保持される。
【００３５】
他方のケース部材５０は、内面側に突出して形成された、一方のケース部材４０の容器受容用凹部４１における第一凹部４１内に挿入される凸部５１と、この凸部５１の外面側に位置される端部において外周の全周にわたって外方に延出するよう形成されたフランジ部５５とを有する。この例においては、凸部５１は、一方のケース部材４０の容器受容用凹部４１の開口形状に適合する矩形枠状に形成されている。また、他方のケース部材５０の内面側に形成された、凸部５１によって囲まれた空間は、少なくとも一部が検体容器６５の外形と適合する空間形状を有する。
また、凸部５１における互いに対向して長さ方向に延びる一対の周壁部分の外壁の外面の各々には、一方のケース部材４０の容器受容用凹部４１における第一凹部４２に形成された係合用凹溝４５の各々に係合される係合用突条５２が形成されている。
また、他方のケース部材５０のフランジ部５５における開閉端側に位置される部分の内面には、密着防止用の突起部５６が形成されている。これにより、一方のケース部材４０のフランジ部４７と他方のケース部材５０のフランジ部５５との間には、開閉端側の領域において間隙が形成されるため、一方のケース部材４０から他方のケース部材５０を容易に開くことができる。
また、他方のケース部材５０の外面には、ラベル本体１１が貼付される被貼付部５３が形成されている。
【００３６】
このようなケース本体３５は、樹脂シートを例えば真空成形または圧空成形することによって得られる。樹脂シートとしては、例えば、ポリエチレンテレフタレート系樹脂、塩化ビニル系樹脂、ポリプロピレン系樹脂、ポリスチレン系樹脂などの透明な熱可塑性樹脂からなるシートを用いることができる。透明な樹脂シートが用いられることにより、検体容器６０が内部に収容されているか否かを外部から視認することができる。
ケース本体３５を得るための樹脂シートの厚みは、例えば０．２〜０．３ｍｍであることが好ましい。
また、ケース本体３５における被貼付部５３の表面は、少なくとも一部が平坦面とされていることが好ましい。これにより、被貼付部５３の表面にラベル本体１１を容易に貼付することができる。
【００３７】
このような検体採取用キットにおいては、例えば検体の採取前または採取後に、ラベル本体１１における検体容器貼付部分１６を容器貼付部分支持用シート２２から剥がす。これにより、容器貼付部分支持用シート２２の裏面に形成された画像情報Ｐ２が当該容器貼付部分剥離性シート２２を介して視認される。そして、画像情報Ｐ２による検体容器貼付部分１６を貼付するための案内に基づいて、検体容器貼付部分１６が検体容器６５に貼付される。
【００３８】
本発明のラベル１０においては、剥離性シート２０は、ケース貼付部分支持用シート２１から分離可能に設けられた容器貼付部分支持用シート２２を有するため、剥離性シート２０からラベル本体１１を剥がすときには、容器貼付部分支持用シート２２が、ケース貼付部分支持用シート２１から分離してラベル本体１１に密着したままの状態に維持され、この状態で、ケース本体３５に貼付される。そして、ケース本体３５に貼付されたラベル本体１１から検体容器貼付部分１６を剥離すると、容器貼付部分支持用シート２２の裏面に形成された、容器貼付部分支持用シート２２を貼付するための案内となる画像情報Ｐ２が、当該容器貼付部分支持用シート２２を介して視認される。従って、本発明のラベル１０によれば、検体容器貼付部分１６を貼付するための案内となる画像情報Ｐ２に基づいて、検体容器６５に検体容器貼付部分１６を適切に貼付することができる。
また、ケース本体３５が小型で、被貼付部５３以外に検体容器貼付部分１６を貼付するための案内を表示する領域を確保することが困難なものであっても、当該案内を表示することができる。
【００３９】
以上、本発明の実施の形態について説明したが、本発明のラベルは検体容器収納ケース用のラベルに限定されず、種々の用途のラベルに適用することができる。
また、本発明の検体容器収納ケースにおいては、ケース本体は図５に示すものに限定されず、種々の形態のケース本体を採用することができる。
【符号の説明】
【００４０】
１０    ラベル
１１    ラベル本体
１２    ラベル基材
１３    粘着性層
１５    収納ケース貼付部分
１６    検体容器貼付部分
２０    剥離性シート
２１    ケース貼付部分支持用シート
２２    容器貼付部分支持用シート
３０    検体容器収納ケース
３５    ケース本体
４０    一方のケース部材４０
４１    容器受容用凹部
４２    第一凹部
４３    段部
４４    第二凹部
４５    係合用凹溝
４６ａ，４６ｂ    嵌合用突起部
４７    フランジ部
５０    他方のケース部材
５１    凸部
５２    係合用突条
５３    被貼付部
５５    フランジ部
５６    突起部
６０    折り曲げ部
６５    検査容器
６６    容器本体
６７    キャップ
Ｃ１    ラベル側切り込み
Ｃ２    シート側切り込み
Ｐ１    検体管理情報
Ｐ２    画像情報
【図１】
2018205556.tif 000003
【図２】
2018205556.tif 000004
【図３】
2018205556.tif 000005
【図４】
2018205556.tif 000006
【図５】
2018205556.tif 000007
【図６】
2018205556.tif 000008
【図７】
2018205556.tif 000009